(57)【特許請求の範囲】
【請求項１】
バーチャルコンカチネーションにより仮想連結したＳＤＨ伝送路を介して伝送信号を伝送する時分割多重伝送システムにおけるバーチャルコンカチネーションの切り替え方法において、
前記バーチャルコンカチネーションの切り替え要求に応じた前記ＳＤＨ伝送路の切り替えの実行を保留し、前記切り替え要求に関する情報を保持する第１のモードと、
前記第１のモードによって保持された１または複数の切り替え要求に関する情報に基づいて、前記ＳＤＨ伝送路の切り替えを実行する第２のモードと、
を含み、
前記第２のモードは、
前記バーチャルコンカチネーションの一括切り替えの実行を要求する切り替え実行要求に応じて、前記第１のモードによって保持された複数の切り替え要求に関する情報に基づいて、複数の前記ＳＤＨ伝送路の切り替えを同時に実行する、
ことを特徴とするバーチャルコンカチネーションの切り替え方法。
【請求項２】
バーチャルコンカチネーションにより仮想連結したＳＤＨ伝送路を介して伝送信号を伝送する時分割多重伝送システムにおけるバーチャルコンカチネーションの切り替え装置において、
前記バーチャルコンカチネーションの切り替え要求に応じた前記ＳＤＨ伝送路の切り替えの実行を保留し、前記切り替え要求に関する情報を保持する第１の手段と、
前記第１の手段によって保持された１または複数の切り替え要求に関する情報に基づいて、前記ＳＤＨ伝送路の切り替えを実行する第２の手段と、
を備え、
前記第２の手段は、
前記バーチャルコンカチネーションの一括切り替えの実行を要求する切り替え実行要求に応じて、前記第１の手段によって保持された複数の切り替え要求に関する情報に基づいて、複数の前記ＳＤＨ伝送路の切り替えを同時に実行する、
ことを特徴とするバーチャルコンカチネーションの切り替え装置。
【請求項３】
バーチャルコンカチネーションにより仮想連結したＳＤＨ伝送路を介して伝送信号を伝送する時分割多重伝送システムのコンピュータに、
前記バーチャルコンカチネーションの切り替え要求に応じた前記ＳＤＨ伝送路の切り替えの実行を保留し、前記切り替え要求に関する情報を保持する第１のステップと、
前記第１のステップによって保持された１または複数の切り替え要求に関する情報に基づいて、前記ＳＤＨ伝送路の切り替えを実行する第２のステップと、
を実行させる際に、
前記第２のステップにおいて、
前記バーチャルコンカチネーションの一括切り替えの実行を要求する切り替え実行要求に応じて、前記第１のステップによって保持された複数の切り替え要求に関する情報に基づいて、複数の前記ＳＤＨ伝送路の切り替えを同時に実行させる、
ことを特徴とするプログラム。
【発明の詳細な説明】
【技術分野】
【０００１】
本発明は、時分割多重伝送システムにおけるＶＣＴ（Ｖｉｒｔｕａｌ  Ｃｏｎｃａｔｅｎａｔｉｏｎ：バーチャルコンカチネーション：仮想連結）の切り替え方法、切り替え装置、およびプログラムに関する。
【背景技術】
【０００２】
イーサネット（登録商標）などの通信網における伝送速度を高速にするため、伝送するデータの信号を時間的に分割し、その分割した信号を多重して伝送する時分割多重伝送システムが知られている。この時分割多重伝送システムでは、例えば、ＳＤＨ（Ｓｙｎｃｈｒｏｎｏｕｓ  Ｄｉｇｉｒａｌ  Ｈｉｅｒａｒｃｈｙ：同期デジタルハイアラーキ）によって伝送するデータなどの情報をＳＤＨ信号にマッピングしている。また、このＳＤＨ信号を、ＶＣＴによって仮想的に連結した伝送網を介して伝送している。また、このＶＣＴ伝送網においては、必要に応じてＶＣＴの接続を切り替えることによって、ＳＤＨ信号の伝送効率を向上させている。また、ＶＣＴの接続の切り替えは、ＶＣＴによる伝送網にエラーが発生した場合にも行われる（特許文献１参照）。
【０００３】
この時分割多重伝送システムにおけるＶＣＴの切り替え制御は、ＳＤＨ単位で行われている。このため、例えば、ＶＣＴ伝送網内の伝送路にエラーが多発した場合には、その都度ＶＣＴの切り替えが発生していた。この切り替えによって、切り替えを行う伝送路の数、すなわち、ＳＤＨパスの数に相当する回数の伝送路の瞬断が起こっていた。このため、ＶＣＴで仮想連結した伝送網における伝送時間に、切り替えにおけるオーバーヘッドの時間が多く発生し、伝送効率が低下していた。
【０００４】
このＶＣＴの切り替えによる伝送効率の低下を軽減するため、特許文献２では、データ用の伝送路に切り替え制御用の伝送路をグルーピングし、伝送路に発生した障害によってデータの伝送に影響がある場合には、切り替え制御用の伝送路を介してＶＣＴの切り替え制御を行うことによって、ＶＣＴの切り替えにおけるオーバーヘッドの時間を短縮する技術が開示されている。
【先行技術文献】
【特許文献】
【０００５】
【特許文献１】特開２０００−３４９８６０号公報
【特許文献２】特開２０００−７８１５３号公報
【発明の概要】
【発明が解決しようとする課題】
【０００６】
特許文献２に記載の技術では、新たに切り替え制御用の伝送路を含む伝送路のグループを定義している。この新たな伝送路のグループを構成するためには、伝送網の構成を大きく変更する必要がある。このため、すでに構築されている伝送網に対して特許文献２で開示された新たな伝送路のグループを適用することは困難であるという問題がある。
【０００７】
また、特許文献１に記載の技術は、ＶＣＴの切り替えにおけるオーバーヘッドの時間を短縮する技術を提供するものではない。
【０００８】
本発明は、上記の課題認識に基づいてなされたものであり、伝送網の構成を大きく変更することなく、従来のアーキテクチャを継承した状態で、ＳＤＨパスの切り替えに伴う伝送路の瞬断時間を短縮することができるＶＣＴの切り替え方法、切り替え装置、およびプログラムを提供することを目的としている。
【課題を解決するための手段】
【０００９】
上記の課題を解決するため、本発明のバーチャルコンカチネーションの切り替え方法は、バーチャルコンカチネーションにより仮想連結したＳＤＨ伝送路を介して伝送信号を伝送する時分割多重伝送システムにおけるバーチャルコンカチネーションの切り替え方法において、前記バーチャルコンカチネーションの切り替え要求に応じた前記ＳＤＨ伝送路の切り替えの実行を保留し、前記切り替え要求に関する情報を保持する第１のモードと、前記第１のモードによって保持された１または複数の切り替え要求に関する情報に基づいて、前記ＳＤＨ伝送路の切り替えを実行する第２のモードと、を含み、前記第２のモードは、前記バーチャルコンカチネーションの一括切り替えの実行を要求する切り替え実行要求に応じて、前記第１のモードによって保持された複数の切り替え要求に関する情報に基づいて、複数の前記ＳＤＨ伝送路の切り替えを同時に実行する、ことを特徴とする。
【００１１】
また、本発明のバーチャルコンカチネーションの切り替え装置は、バーチャルコンカチネーションにより仮想連結したＳＤＨ伝送路を介して伝送信号を伝送する時分割多重伝送システムにおけるバーチャルコンカチネーションの切り替え装置において、前記バーチャルコンカチネーションの切り替え要求に応じた前記ＳＤＨ伝送路の切り替えの実行を保留し、前記切り替え要求に関する情報を保持する第１の手段と、前記第１の手段によって保持された１または複数の切り替え要求に関する情報に基づいて、前記ＳＤＨ伝送路の切り替えを実行する第２の手段と、を備え、前記第２の手段は、前記バーチャルコンカチネーションの一括切り替えの実行を要求する切り替え実行要求に応じて、前記第１の手段によって保持された複数の切り替え要求に関する情報に基づいて、複数の前記ＳＤＨ伝送路の切り替えを同時に実行する、ことを特徴とする。
【００１２】
また、本発明のプログラムは、バーチャルコンカチネーションにより仮想連結したＳＤＨ伝送路を介して伝送信号を伝送する時分割多重伝送システムのコンピュータに、前記バーチャルコンカチネーションの切り替え要求に応じた前記ＳＤＨ伝送路の切り替えの実行を保留し、前記切り替え要求に関する情報を保持する第１のステップと、前記第１のステップによって保持された１または複数の切り替え要求に関する情報に基づいて、前記ＳＤＨ伝送路の切り替えを実行する第２のステップと、を実行させる際に、前記第２のステップにおいて、前記バーチャルコンカチネーションの一括切り替えの実行を要求する切り替え実行要求に応じて、前記第１のステップによって保持された複数の切り替え要求に関する情報に基づいて、複数の前記ＳＤＨ伝送路の切り替えを同時に実行させる、ことを特徴とする。
【発明の効果】
【００１３】
本発明によれば、伝送網の構成を大きく変更することなく、従来のアーキテクチャを継承した状態で、ＳＤＨパスの切り替えに伴う伝送路の瞬断時間を短縮してＶＣＴの切り替えをすることができるという効果が得られる。
【図面の簡単な説明】
【００１４】
【図１】本発明の実施形態による時分割多重伝送システムの概略構成を示したブロック図である。
【図２】本発明の実施形態の時分割多重伝送システムにおけるＶＣＴの切り替え処理の流れを示したシーケンス図である。
【図３】本発明の実施形態におけるＶＣＴの切り替えのモード遷移を示した遷移図である。
【図４】本発明の実施形態によるＶＣＴの切り替えを説明するブロック図である。
【発明を実施するための形態】
【００１５】
以下、本発明の実施形態について、図面を参照して説明する。図１は、本実施形態による時分割多重伝送システムの概略構成を示したブロック図である。図１において、時分割多重伝送システム１は、サーバ１０とＮＥ（Ｎｅｔｗｏｒｋ  Ｅｌｅｍｅｎｔ：ネットワークエレメント）２０から構成される。また、本実施形態の時分割多重伝送システム１において、サーバ１０とＮＥ２０とは、イーサネット（登録商標）などの通信手段であるネットワーク３０によって接続されている。また、ＮＥ２０は、ＳＤＨ伝送網４０を介してデータなどの情報（以下、「ＳＤＨ信号」という）を伝送している。また、ＮＥ２０は、イーサネット（登録商標）などのネットワーク５０を介してデータなどの情報（以下、「イーサネット（登録商標）信号」という）を伝送している。
【００１６】
サーバ１０は、本実施形態の時分割多重伝送システム１におけるＳＤＨ信号の伝送を管理する。サーバ１０には、ＯＳＳ（Ｏｐｅｒａｔｉｏｎ  Ｓｕｐｐｏｒｔ  Ｓｙａｔｅｍ：オペレーションサポートシステム）１０１が備えられている。サーバ１０は、ＯＳＳ１０１におけるＶＣＴの切り替え制御コマンド（指示コマンド）を、ネットワーク３０を介してＮＥ２０に送信する。なお、サーバ１０におけるＶＣＴの切り替え処理、およびサーバ１０がＮＥ２０に送信するＶＣＴの切り替え制御コマンドに関しては、後述する。
【００１７】
ＮＥ２０は、ＳＤＨ伝送網４０内のＳＤＨパスによって伝送されるＳＤＨ信号とネットワーク５０によって伝送されるイーサネット（登録商標）信号との中継を行う。ＮＥ２０は、ＳＣ（Ｓｙｓｔｅｍ  Ｃｏｎｔｒｏｌｌｅｒ：システムコントローラ）２０１、ＳＤＨ−ＩＦ（インタフェース）２０２−１〜２０２−４（以下、まとめて表すときには、「ＳＤＨ−ＩＦ２０２」という）、ＭＵＸ（マルチプレクサ）２０３、ＥｏＳ（Ｅｔｈｅｒｎｅｔ（登録商標）  ｏｖｅｒ  ＳＤＨ）−ＩＦ２０４から構成される。また、ＮＥ２０は、ＳＤＨ伝送網４０内のＳＤＨパスに障害が発生した場合にサーバ１０からネットワーク３０を介して送信されてくるＶＣＴの切り替え制御コマンドを受信し、受信したＶＣＴの切り替え制御コマンドに従ってＳＤＨパスの切り替えを行う。なお、サーバ１０から送信されたＶＣＴの切り替え制御コマンドに従ったＮＥ２０の動作に関しては、後述する。
【００１８】
ＳＣ２０１は、サーバ１０からネットワーク３０を介して送信されてきたＶＣＴの切り替え制御コマンドを受信する。この受信したＶＣＴの切り替え制御コマンドに基づいて、ＶＣＴの切り替えモードが変更される。また、ＳＣ２０１は、ＶＣＴの切り替えモードに基づいて、ＶＣＴの切り替えを制御するための制御信号を、ＳＤＨ−ＩＦ２０２、ＭＵＸ２０３、およびＥｏＳ−ＩＦ２０４に出力する。なお、サーバ１０から送信されたＶＣＴの切り替え制御コマンドによって変更されるＶＣＴの切り替えモードの遷移に関しては、後述する。また、本発明においては、ＶＣＴの切り替えモードの遷移に応じてＳＤＨ−ＩＦ２０２、ＭＵＸ２０３、およびＥｏＳ−ＩＦ２０４に出力される、ＶＣＴの切り替えを制御するための制御信号に関しては、規定しない。
【００１９】
ＳＤＨ−ＩＦ２０２は、ＮＥ２０が中継を行う複数のＳＤＨパスをまとめたＳＤＨパス群である。ＳＤＨ−ＩＦ２０２は、ＳＤＨ信号の伝送を行うときに主として用いられる現用のＳＤＨ−ＩＦと、現用のＳＤＨ−ＩＦと同じ情報が伝送される予備のＳＤＨ−ＩＦとの対で１つの伝送経路を構成している。図１では、ＳＤＨ−ＩＦ２０２−１とＳＤＨ−ＩＦ２０２−２とを対とし、ＳＤＨ−ＩＦ２０２−３とＳＤＨ−ＩＦ２０２−４とを対とした例を示している。また、図１においては、ＳＤＨ−ＩＦ２０２−１とＳＤＨ−ＩＦ２０２−３とを現用のＳＤＨ−ＩＦとし、ＳＤＨ−ＩＦ２０２−２とＳＤＨ−ＩＦ２０２−４とをそれぞれの予備のＳＤＨ−ＩＦとしている。
【００２０】
ＭＵＸ２０３は、ＳＣ２０１から入力された制御信号に基づいて、ＳＤＨパスの切り替えを行う。ＭＵＸ２０３には、ＳＤＨパスの切り替えを行うためのＰＰＳ（Ｐａｓｓ  Ｐｒｏｔｅｃｔｉｏｎ  Ｓｗｉｔｃｈ：パスプロテクションスイッチ）２０３１−１〜２０３１−６（以下、まとめて表すときには、「ＰＰＳ２０３１」という）が、それぞれのＳＤＨパス毎に備えられている。これにより、ＳＤＨ信号の切り替えをＳＤＨ−ＩＦ２０２単位ではなく、ＳＤＨパス毎に行うことができる。例えば、ネットワーク５０によって伝送されてきたイーサネット（登録商標）信号を中継して、現用のＳＤＨ−ＩＦ２０２−３に伝送するときに、現用のＳＤＨ−ＩＦ２０２−３内のＳＤＨパスに障害がある場合は、ＳＣ２０１から入力された制御信号に基づいて、現用のＳＤＨ−ＩＦ２０２−３内の障害があるＳＤＨパスに伝送するＳＤＨ信号を、現用のＳＤＨ−ＩＦ２０２−３の予備のＳＤＨ−ＩＦであるＳＤＨ−ＩＦ２０２−４内のＳＤＨパスに切り替えて伝送する。
【００２１】
ＰＰＳ２０３１は、ＳＣ２０１から入力された制御信号に基づいて、ＳＤＨパスの切り替えを行う。ＰＰＳ２０３１には、現用のＳＤＨ−ＩＦ内のＳＤＨパスと、その現用のＳＤＨ−ＩＦに対応し、同じ情報が伝送される予備のＳＤＨ−ＩＦ内のＳＤＨパスとが接続される。ＰＰＳ２０３１は、ＳＤＨ伝送網４０からＮＥ２０にＳＤＨ信号が入力される場合、切り替えたＳＤＨパスを介して伝送されてきたＳＤＨ信号をＥｏＳ−ＩＦ２０４に出力する。また、ＮＥ２０からＳＤＨ伝送網４０にＳＤＨ信号を出力する場合、ＥｏＳ−ＩＦ２０４から入力されたＳＤＨ信号を、切り替えたＳＤＨパスに出力する。
【００２２】
ＥｏＳ−ＩＦ２０４は、ＳＤＨパスとイーサネット（登録商標）との関連付けを行う。ＥｏＳ−ＩＦ２０４は、ＳＣ２０１から入力された制御信号に基づいて、入力されたＳＤＨ信号をイーサネット（登録商標）信号に変換する。また、ＥｏＳ−ＩＦ２０４は、イーサネット（登録商標）信号をＶＣＴの仮想連結に関連付ける。また、ＥｏＳ−ＩＦ２０４は、ＶＣＴの仮想連結に関連付けられたイーサネット（登録商標）信号をＳＤＨ信号に変換して出力する。ＥｏＳ−ＩＦ２０４には、ＭＵＸ２０３内のＰＰＳ２０３１のそれぞれに対応したＡＵ（Ａｄｍｉｎｉｓｔｒａｔｉｖｅ  Ｕｎｉｔ）２０４１−１〜２０４１−６（以下、まとめて表すときには、「ＡＵ２０４１」という）および仮想連結の情報を含むＶＣＴ２０４２が備えられている。
【００２３】
ＡＵ２０４１は、ＳＤＨパスのＳＤＨ信号をＶＣＴにおけるイーサネット（登録商標）信号に変換する。また、イーサネット（登録商標）信号をＳＤＨ信号に変換してＳＤＨパスに出力する。
【００２４】
ＶＣＴ２０４２は、仮想連結の情報を記憶し、ＳＣ２０１から入力された制御信号に基づいて、記憶している仮想連結の情報を更新する。
【００２５】
次に、ＶＣＴの切り替え処理について説明する。図２は、本実施形態の時分割多重伝送システムにおけるＶＣＴの切り替え処理の流れを示したシーケンス図である。
【００２６】
まず、サーバ１０が障害のあるＳＤＨパスの情報を取得すると、ＯＳＳ１０１は、ＳＤＨパスの切り替えモードを切り替え保留モードに変更する切り替え制御コマンド（切り替え保留コマンド）をＮＥ２０に送信する（ステップＳ１０）。なお、本発明においては、障害のあるＳＤＨパスの情報の取得方法に関しての規定はしない。
【００２７】
ＯＳＳ１０１からの切り替え保留コマンドを受信したＮＥ２０内のＳＣ２０１は、受信した切り替え保留コマンドに従い、ＳＤＨパスの切り替えモードを切り替え保留モードに変更する。ここで、ＮＥ２０内のＳＣ２０１の現在の動作モードが通常モードであった場合は、切り替えモードを切り替え保留モードに変更し、正常に切り替え保留モードに変更したことを示す正常応答をＯＳＳ１０１に返信する（ステップＳ２０）。また、ＮＥ２０内のＳＣ２０１の現在の動作モードが切り替え実行モード、または切り替え保留モードであった場合は、現在の動作モードを維持し、切り替え保留モードに変更できないことを示すエラー応答をＯＳＳ１０１に返信する（ステップＳ２１）。なお、ＮＥ２０からエラー応答を受信したＯＳＳ１０１は、例えば、予め定められた時間が経過した後に、再度ステップＳ１０を実行することもできる。
【００２８】
ＮＥ２０から正常応答を受信したＯＳＳ１０１は、切り替えを行うＳＤＨパス毎に、ＳＤＨパスの切り替えを行うための切り替え制御コマンド（切り替えコマンド）をＮＥ２０に送信する（ステップＳ３０）。
なお、ＯＳＳ１０１がＮＥ２０に送信するＳＤＨパス毎の切り替えコマンドに代えて、切り替えを行う全てのＳＤＨパスを示す識別情報をＮＥ２０に送信することもできる。
【００２９】
ＯＳＳ１０１からＳＤＨパスの切り替えコマンドを受信したＮＥ２０内のＳＣ２０１は、指定されたＳＤＨパスの切り替えを行うことが可能であるか否かを示す切り替え可否応答をＯＳＳ１０１に返信する。ここで、ＮＥ２０内のＳＣ２０１の現在の動作モードが切り替え保留モードであった場合は、指定されたＳＤＨパスの切り替え動作を保留するとともに、指定されたＳＤＨパスの切り替えを行うことが可能であることを示す正常応答をＯＳＳ１０１に返信する。また、ＮＥ２０内のＳＣ２０１の現在の動作モードが通常モード、または切り替え実行モードであった場合は、指定されたＳＤＨパスの切り替えを行うことが不可能であることを示すエラー応答をＯＳＳ１０１に返信する（ステップＳ４０）。なお、ＯＳＳ１０１によるＮＥ２０への切り替えコマンドの送信（ステップＳ３０）と、ＮＥ２０によるＯＳＳ１０１への切り替え可否応答の返信（ステップＳ４０）は、切り替えを行うＳＤＨパスの数に相当する回数繰り返される。また、ＯＳＳ１０１から複数の切り替えコマンドを受信したＮＥ２０は、ＯＳＳ１０１からＳＤＨパスの切り替えコマンドを受信する毎に、切り替え可否応答を返信する。なお、ＮＥ２０内のＳＣ２０１によってＳＤＨパスの切り替え動作を保留する方法は、例えば、ＯＳＳ１０１から受信したＳＤＨパスの切り替えコマンド自体を保持する方法や、切り替え動作を行うＳＤＨパスの識別情報を保持する方法などがあるが、本発明においては、ＮＥ２０内のＳＣ２０１によってＳＤＨパスの切り替え動作を保留する方法に関しては規定しない。
なお、ＳＤＨパス毎の切り替えコマンドに代えて、切り替えを行う全てのＳＤＨパスを示す識別情報をＯＳＳ１０１から受信した場合は、指定された全てのＳＤＨパスに対して、ＳＤＨパス毎に切り替えを行うことが可能であるか否かを示す切り替え可否情報をＯＳＳ１０１に返信することもできる。
【００３０】
ＮＥ２０から正常応答を受信したＯＳＳ１０１は、正常応答を受信した各ＳＤＨパスの切り替えを実行するための切り替え制御コマンド（切り替え実行コマンド）をＮＥ２０に送信する。そして、ＯＳＳ１０１からの切り替え実行コマンドを受信したＮＥ２０内のＳＣ２０１は、受信した切り替え実行コマンドに従い、ＳＤＨパスの切り替えモードを現在の切り替え保留モードから切り替え実行モードに変更する（ステップＳ５０）。これにより、ＳＤＨパスの切り替え動作が行われる。なお、ここで行われるＳＤＨパスの切り替え動作では、ステップＳ４０において保持したＳＤＨパスの切り替えコマンドや、切り替え動作を行うＳＤＨパスの識別情報に従って、複数のＳＤＨパスの切り替えが同時に行われる。なお、ＯＳＳ１０１からＮＥ２０に切り替え実行コマンドを送信するタイミングは、例えば、予め定められた時間が経過したときや、予め定められた数のＳＤＨパスの切り替えが発生したときに切り替え実行コマンドを送信することができるが、本発明においては、ＯＳＳ１０１からＮＥ２０に切り替え実行コマンドを送信するタイミングに関しては規定しない。
【００３１】
ＯＳＳ１０１からの切り替え実行コマンドに従ってＳＤＨパスの切り替えを実行したＮＥ２０内のＳＣ２０１は、ＳＤＨパスの切り替えが完了した後に、指定されたＳＤＨパスの切り替えが完了したことを示す正常応答をＯＳＳ１０１に返信する（ステップＳ６０）。また、ＮＥ２０内のＳＣ２０１は、ＳＤＨパスの切り替えが完了した切り替え番号を示す切り替え番号通知をＯＳＳ１０１に返信する（ステップＳ７０）。
【００３２】
ＮＥ２０から正常応答および切り替え番号通知を受信したＯＳＳ１０１は、ＳＤＨパスの切り替え動作を完了する。
【００３３】
次に、ＶＣＴの切り替え処理におけるモード遷移について説明する。図３は、本実施形態の時分割多重伝送システムにおけるＮＥ２０内のＳＣ２０１のモード遷移を示した遷移図である。また、図３の説明においては、図２に示したシーケンス図を参照する。
【００３４】
通常モードは、ＮＥ２０がＳＤＨ伝送網４０内のＳＤＨパスによって伝送されるＳＤＨ信号を中継する動作を行っている動作モードである。ＮＥ２０は、この通常モードのときにＳＤＨ伝送路４０からＳＤＨ−ＩＦ２０２を介して入力されたＳＤＨ信号を、他のＳＤＨ−ＩＦ２０２を介してＳＤＨ伝送路４０に伝送する。また、通常モードにおいては、ＯＳＳ１０１から送信されてきたＳＤＨパスの切り替えコマンドによる切り替え動作を行わない。
【００３５】
切り替え保留モードは、ＳＤＨパスの切り替えを保留する動作を行うモードである。図２のステップＳ１０〜ステップＳ２０におけるＯＳＳ１０１からの切り替え保留コマンドに従って、通常モードから切り替え保留モードにモード遷移する（処理１）。
また、切り替え保留モードのときは、図２のステップＳ３０〜ステップＳ４０のように、ＯＳＳ１０１からの切り替えコマンドを受け付ける。ただし、受け付けた切り替えコマンドの実行は保留される（処理２）。
また、ＯＳＳ１０１から送信されてきたＳＤＨパスの切り替えモードを通常モードに変更する切り替え制御コマンドを受信することによって通常モードにモード遷移する（処理３）。また、ＮＥ２０内で異常処理が行われた場合には、通常モードに自動的にモード遷移する（処理３）。なお、通常モードにモード遷移するときのＮＥ２０内の異常処理は、例えば、ＭＵＸ２０３やＳＣ２０１の動作異常、切り替え保留モードにモード遷移してから予め設定した時間が経過したことによるタイムアウト処理などがあるが、本発明においては、この通常モードにモード遷移するＮＥ２０内の異常処理に関しては規定しない。また、切り替え保留モードにおいて、処理３によって通常モードに遷移した場合、ＮＥ２０は、ＯＳＳ１０１にエラー応答を返信する。
【００３６】
切り替え実行モードは、切り替え保留モードで保留されたＳＤＨパスの切り替えコマンドを同時に実行するモードである。図２のステップＳ５０のように、ＯＳＳ１０１からの切り替え実行コマンドに従って、切り替え保留モードから切り替え実行モードにモード遷移する（処理４）。
また、切り替え実行モードにおいて、ＳＤＨパスの切り替えが完了すると、図２のステップＳ６０〜ステップＳ７０のように、ＳＤＨパスの切り替えが完了したことを示す正常応答および切り替え番号通知をＯＳＳ１０１に行って、通常モードに自動的にモード遷移する（処理５）。
【００３７】
上記に述べたとおり、本実施形態による時分割多重伝送システム１によれば、切り替え保留モードによって保留されていたＳＤＨパスの切り替え動作が、切り替え実行モードによって同時（一括）に行われる。すなわち、従来、障害があるＳＤＨパスの情報に基づいて逐次ＳＤＨパスの切り替えを行うことによって伝送路に起こっていた複数の瞬断が、複数のＳＤＨパスを同時に切り替えることによって同時に起こるようになる。これにより、伝送路が瞬断している合計の時間（延べの瞬断時間）を短い時間とすることができる。
【００３８】
ここで、ＶＣＴの切り替え動作の一例について説明する。図４は、本実施形態の時分割多重伝送システムにおけるＶＣＴの切り替えを説明するブロック図である。図４では、ＥｏＳ−ＩＦ２０４によってイーサネット（登録商標）信号がＶＣＴの仮想連結に関連付けられ、さらに変換されたＳＤＨ信号を、現用のＳＤＨ−ＩＦであるＳＤＨ−ＩＦ２０２−３と予備のＳＤＨ−ＩＦであるＳＤＨ−ＩＦ２０２−４とからなる経路２のＳＤＨパスに伝送する場合の例を示している。なお、図４において、図４（ａ）は、ＶＣＴの切り替え前の状態、図４（ｂ）は、ＶＣＴの切り替え後の状態の例を示している。なお、図４においては、ＮＥ２０の構成において、ＳＤＨ信号の伝送に関係する内部ブロックのみを示している。
【００３９】
図４（ａ）において、ＳＤＨパス３−１とＳＤＨパス３−２とに障害がある場合、変換されたＳＤＨ信号をＳＤＨ−ＩＦ２０２−３のＳＤＨパスに伝送することができない。このように、変換されたＳＤＨ信号を経路２に伝送できない場合、障害があるＳＤＨパス３−１とＳＤＨパス３−２とに接続されているＰＰＳ２０３１−４とＰＰＳ２０３１−５とが一括切り替えの対象のＰＰＳ２０３１となる。ＳＣ２０１は、ＯＳＳ１０１から送信された障害があるＳＤＨパスの切り替えコマンドに基づいて、ＰＰＳ２０３１−４とＰＰＳ２０３１−５とに接続されたＳＤＨパスの切り替えを制御するための制御信号をＰＰＳ２０３１−４とＰＰＳ２０３１−５とに出力する。これにより、ＰＰＳ２０３１−４とＰＰＳ２０３１−５とに接続されたＳＤＨパスが同時に切り替えられ、図４（ｂ）に示すように、変換されたＳＤＨ信号をＳＤＨ−ＩＦ２０２−４のＳＤＨパスに伝送することができる。このことによって、ＶＣＴの切り替えを行うことができ、ＥｏＳ−ＩＦ２０４によって変換されたＳＤＨ信号の経路２への伝送が可能となる。
【００４０】
ＶＣＴが図４（ｂ）に示すように切り替えられた後、ＮＥ２０は、ＶＣＴが切り替えられたＳＤＨ−ＩＦ２０２−４を現用のＳＤＨ−ＩＦとする。
【００４１】
上記に述べたとおり、本発明では、時分割多重伝送システムに、ＳＤＨパスの切り替え動作を保留する切り替え保留モードと、切り替え保留モードによって保留されていたＳＤＨパスの切り替え動作を同時（一括）に実行する切り替え実行モードを設けた。また、本発明では、従来のアーキテクチャを継承した状態において、ＳＤＨパスの切り替え動作として、切り替え保留コマンドによるＳＤＨパスの切り替え動作の保留→切り替えコマンドによる切り替えを行うＳＤＨパスの通知→切り替え実行コマンドによるＳＤＨパスの同時（一括）切り替えという手順を確立した。これにより、ＶＣＴの切り替え制御をＳＤＨ単位ではなく、指定した複数のＳＤＨパスを同時（一括）に切り替えることができる。このことにより、従来のＶＣＴの切り替え制御に比べて伝送路が瞬断する時間を短縮してＶＣＴの切り替えをすることができる。
【００４２】
なお、図２に示したＯＳＳ１０１とＮＥ２０の各処理ステップや図３に示したＳＣ２０１の各モードの機能を実現するためのプログラムをコンピュータ読み取り可能な記録媒体に記録して、当該記録媒体に記録されたプログラムをコンピュータシステムに読み込ませ、実行することにより、時分割多重伝送システム１やＳＣ２０１に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４４】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【００４５】
１・・・時分割多重伝送システム
１０・・・サーバ
１０１・・・ＯＳＳ
２０・・・ＮＥ
２０１・・・ＳＣ
２０２，２０２−１，２０２−２，２０２−３，２０２−４・・・ＳＤＨ−ＩＦ
２０３・・・ＭＵＸ
２０３１，２０３１−１，２０３１−２，２０３１−３，２０３１−４，２０３１−５，２０３１−６・・・ＰＰＳ
２０４・・・ＥｏＳ−ＩＦ
２０４１，２０４１−１，２０４１−２，２０４１−３，２０４１−４，２０４１−５，２０４１−６・・・ＡＵ
２０４２・・・ＶＣＴ
３０・・・ネットワーク
４０・・・ＳＤＨ伝送網
【図１】
0005458759.tif 000002
【図２】
0005458759.tif 000003
【図３】
0005458759.tif 000004
【図４】
0005458759.tif 000005